(57)【要約】【課題】複数の故人の写真や故人に関する事項を記載したものを一緒に保管できるとともに、好みの配置場所に移動でき、仏壇を兼用した位牌として用いる。【解決手段】箱体２の内部を仕切り板９により２つに区切り、一方を１枚以上のルーツカード３を収納可能なルーツカード収納部１０とし、他方を１枚以上の連結ルーツカード１１を収納可能な連結ルーツカード収納部１２とする。箱体２の前面部に前記ルーツカード３の１枚を表示するルーツカード表示部４を形成し、箱体２の上部に開放可能な蓋部１３を設ける。【選択図】図２
2005143742.tif 000002
【特許請求の範囲】
【請求項１】
箱体の内部に１枚以上のルーツカードを収納可能なルーツカード収納部を形成するとともに、箱体の前面部に前記ルーツカードの１枚を表示するルーツカード表示部を形成し、箱体の上部に開放可能な蓋部を設けたことを特徴とするルーツの箱。
【請求項２】
箱体の内部を２つに区切り、一方を１枚以上のルーツカードを収納可能なルーツカード収納部とし、他方を１枚以上の連結ルーツカードを収納可能な連結ルーツカード収納部とするとともに、箱体の前面部に前記ルーツカードの１枚を表示するルーツカード表示部を形成し、箱体の上部に開放可能な蓋部を設けたことを特徴とするルーツの箱。
【請求項３】
前記ルーツカード表示部は、箱体の前面部に形成した窓部と、前記箱体の内部に固着し前記窓部を塞ぐ平面ガラス板と、この平面ガラス板と所要の間隔を有して上下移動可能に前記箱体の内部に設けた支持板とからなることを特徴とする請求項１または２記載のルーツの箱。
【請求項４】
前記箱体の下部には、仏壇に収納する香等の関連物品の収納ボックスを設けたことを特徴とする請求項１または２記載のルーツの箱。
【請求項５】
前記収納ボックスは、前記ルーツカード表示部を形成した前面部から引き出し可能な引き出し部としたことを特徴とする請求項４記載のルーツの箱。
【請求項６】
前記ルーツカードは、故人の写真または肖像画等からなる故人表示カードと、この故人表示カードを挟持可能なルーツカード本体からなり、ルーツカード本体の表側面には前記故人表示カードの写真等を見ることができる窓部を設けて前記故人表示カードの貼付部を形成し、前記窓部の下方には前記故人表示カードの故人に関するルーツ表示部を設けるとともに、ルーツカード本体の裏側面には前記故人表示カードの故人に関するルーツ記録部を設けたことを特徴とする請求項１または２記載のルーツの箱。
【請求項７】
前記ルーツカード本体は、表側面と裏側面の２枚で形成し前記貼付部に配置した前記故人表示カードを挟んで表側面と裏側面を貼り合わせ、あるいは表側面と裏側面を一体に形成し表側面と裏側面の間で折り畳み前記故人表示カードを挟んで貼り合わせしてなることを特徴とする請求項６記載のルーツの箱。
【請求項８】
前記ルーツ表示部は、故人の氏名、生年月日、没年月日の記載欄を設けたことを特徴とする請求項６記載のルーツの箱。
【請求項９】
前記ルーツ記録部は、故人の氏名、生年月日、没年月日、享年、系譜、戒名および思い出、あるいは故人の氏名、生年月日、没年月日、享年、系譜および思い出の故人に関する記載欄を設けたことを特徴とする請求項６記載のルーツの箱。
【請求項１０】
前記ルーツカード本体の貼付部には、故人表示カードの隅部を収納可能な三角コーナーあるいは剥離紙で覆った粘着剤を設けたことを特徴とする請求項６記載のルーツの箱。
【請求項１１】
前記蓋部は、箱体の前面部と後面部に形成した溝部にスライド可能に嵌め合わせ、箱体の一方の側面方向に出入可能に設けたことを特徴とする請求項１または２記載のルーツの箱。
【請求項１２】
前記連結ルーツカードは、長方形状の紙材をその長手方向に対して直角に複数回連続して折り畳み、その折り畳み位置を境にして前記ルーツ記録部と同じ記載欄を複数設けたことを特徴とする請求項２記載のルーツの箱。
【請求項１３】
箱体の上部に回動可能に設けるとともに所定の角度にて係止可能な蓋部と、この蓋部の下面に設けたルーツ表示部と、箱体の下部に１枚以上のルーツカードを収納可能なルーツカード収納部を設けたことを特徴とするルーツの箱。
【発明の詳細な説明】
【技術分野】
【０００１】
本発明は、複数の故人の写真や故人に関する事項を記載したものを１カ所に収納し、命日の近い故人の写真等を選択して飾ることができるルーツの箱に関する。
【背景技術】
【０００２】
従来、遺影写真を飾る額縁の縁材の一部をくりぬいて収納庫を形成し、この収納庫に遺影写真を飾った故人の遺骨や遺髪を収納可能な額縁が知られている。
【特許文献１】特開平８−１０１１７号公報（段落番号０００６，図１参照）
【０００３】
また、仏壇には、戒名を記載した故人毎の位牌が収納され、命日などの法要の際には、その故人の位牌が前面に出されて営まれている。
【発明の開示】
【発明が解決しようとする課題】
【０００４】
前記額縁は、遺影写真を飾った故人の遺骨や位牌を収納できるが、額縁は故人の個々に必要で、複数の額縁を飾るスペースが多大になる問題点があった。また、収納庫は広いスペースを取ることができず、俗名や命日、享年等の故人に関する事項を記載した過去帳は別途に保管しなければならない問題点があった。
【０００５】
また、仏壇に位牌等を収納するのが一般的であるが、仏壇は高価であり手軽に所有することができない問題点があった。さらに、仏壇に複数の位牌を収納した場合には、狭いスペースに複数の位牌を整理して並べるのに大変な手間が掛かり、また、位牌には戒名等が記載されているが、その故人の写真が備わっていないので不明な故人が出てきて整理ができなくなる問題点があった。そのため、命日にその故人の位牌を探すのが大変であり、法要の際にも位牌が判らない場合がある等の問題点があった。また、故人に関する事項を記載した過去帳は別途に保管しなければならない問題点があった。さらに、仏壇は重く、たまある程度の大きさを有しているので、移動が大変で部屋の掃除の際や模様替えの際に手軽に移動できない問題点や、仏壇の配置場所に困ることがあった。
【０００６】
本発明は、前記発明が解決しようとする課題に鑑みてなされたもので、複数の故人の写真や故人に関する事項を記載したものを一緒に保管できるとともに、手軽に好みの配置場所に移動でき、仏壇を兼用した位牌として用いることができるルーツの箱を提供することを目的とする。
【課題を解決するための手段】
【０００７】
上記課題を解決するために、本発明の請求項１に係るルーツの箱は、箱体の内部に１枚以上のルーツカードを収納可能なルーツカード収納部を形成するとともに、箱体の前面部に前記ルーツカードの１枚を表示するルーツカード表示部を形成し、箱体の上部に開放可能な蓋部を設けたことを特徴とする。
【０００８】
本発明の請求項２に係るルーツの箱は、箱体の内部を２つに区切り、一方を１枚以上のルーツカードを収納可能なルーツカード収納部とし、他方を１枚以上の連結ルーツカードを収納可能な連結ルーツカード収納部とするとともに、箱体の前面部に前記ルーツカードの１枚を表示するルーツカード表示部を形成し、箱体の上部に開放可能な蓋部を設けたことを特徴とする。
【０００９】
本発明の請求項３に係るルーツの箱は、請求項１または２の構成にあって、前記ルーツカード表示部は、箱体の前面部に形成した窓部と、前記箱体の内部に固着し前記窓部を塞ぐ平面ガラス板と、この平面ガラス板と所要の間隔を有して上下移動可能に前記箱体の内部に設けた支持板とからなることを特徴とする。
【００１０】
本発明の請求項４に係るルーツの箱は、請求項１または２の構成にあって、前記箱体の下部には、仏壇に収納する香等の関連物品の収納ボックスを設けたことを特徴とする。
【００１１】
本発明の請求項５に係るルーツの箱は、請求項４の構成にあって、前記収納ボックスは、前記ルーツカード表示部を形成した前面部から引き出し可能な引き出し部としたことを特徴とする。
【００１２】
本発明の請求項６に係るルーツの箱は、請求項１または２の構成にあって、前記ルーツカードは、故人の写真または肖像画等からなる故人表示カードと、この故人表示カードを挟持可能なルーツカード本体からなり、ルーツカード本体の表側面には前記故人表示カードの写真等を見ることができる窓部を設けて前記故人表示カードの貼付部を形成し、前記窓部の下方には前記故人表示カードの故人に関するルーツ表示部を設けるとともに、ルーツカード本体の裏側面には前記故人表示カードの故人に関するルーツ記録部を設けたことを特徴とする。
【００１３】
本発明の請求項７に係るルーツの箱は、請求項６の構成にあって、前記ルーツカード本体は、表側面と裏側面の２枚で形成し前記貼付部に配置した前記故人表示カードを挟んで表側面と裏側面を貼り合わせ、あるいは表側面と裏側面を一体に形成し表側面と裏側面の間で折り畳み前記故人表示カードを挟んで貼り合わせしてなることを特徴とする。
【００１４】
本発明の請求項８に係るルーツの箱は、請求項６の構成にあって、前記ルーツ表示部は、故人の氏名、生年月日、没年月日の記載欄を設けたことを特徴とする。
【００１５】
本発明の請求項９に係るルーツの箱は、請求項６も構成あって、前記ルーツ記録部は、故人の氏名、生年月日、没年月日、享年、系譜、戒名および思い出、あるいは故人の氏名、生年月日、没年月日、享年、系譜および思い出の故人に関する記載欄を設けたことを特徴とする。
【００１６】
本発明の請求項１０に係るルーツの箱は、請求項６の構成にあって、前記ルーツカード本体の貼付部には、故人表示カードの隅部を収納可能な三角コーナーあるいは剥離紙で覆った粘着剤を設けたことを特徴とする。
【００１７】
本発明の請求項１１に係るルーツの箱は、請求項１または２の構成にあって、前記蓋部は、箱体の前面部と後面部に形成した溝部にスライド可能に嵌め合わせ、箱体の一方の側面方向に出入可能に設けたことを特徴とする。
【００１８】
本発明の請求項１２に係るルーツの箱は、請求項２の構成にあって、前記連結ルーツカードは、長方形状の紙材をその長手方向に対して直角に複数回連続して折り畳み、その折り畳み位置を境にして前記ルーツ記録部と同じ記載欄を複数設けたことを特徴とする。
【００１９】
本発明の請求項１３に係るルーツの箱は、箱体の上部に回動可能に設けるとともに所定の角度にて係止可能な蓋部と、この蓋部の下面に設けたルーツ表示部と、箱体の下部に１枚以上のルーツカードを収納可能なルーツカード収納部を設けたことを特徴とする。
【発明の効果】
【００２０】
本発明の請求項１および請求項１３に係るルーツの箱によれば、故人毎の複数のルーツカードをルーツカード収納部に纏めて収納することができ、複数の故人に関する事項を誤りなく容易に理解することができる。また、ルーツカードに故人の写真や肖像画を設け、俗名や戒名、生年月日や没年月日を記載することで、複数の故人の位牌として用いることができ、故人毎の位牌を配置する必要がなくすることができる。また、ルーツカードは、ルーツカード収納したルーツカードの中から選択してルーツカード表示部に表示可能であり、例えば、命日に一番近い故人のルーツカードを表示することができる。
【００２１】
本発明の請求項２および請求項１２に係るルーツの箱によれば、ルーツカード収納部に収納したルーツカードの故人に関する事項を複数記載できる連結ルーツカードを収納し、この連結ルーツカードを過去帳として用いることができる。その他の効果は請求項１と同様である。
【００２２】
本発明の請求項３に係るルーツの箱によれば、平面ガラス板を設けたので、ルーツカード表示部に表示したルーツカーが汚れるのを防ぐことができる。また、支持板を上下移動可能にし、箱体から取り出すことが可能なので、ルーツカード表示部に表示するルーツカードの交換を容易に行うことができる。
【００２３】
本発明の請求項４および請求項５に係るルーツの箱によれば、位牌を兼用した仏壇として用いることができる。
【００２４】
本発明の請求項６〜９に係るルーツの箱によれば、故人の顔と故人の氏名や命日等の関連事項により、故人を偲ぶことができる。
【００２５】
本発明の請求項１０に係るルーツの箱によれば、故人表示カードをルーツカード本体の最適な位置に貼り付けることができる。
【発明を実施するための最良の形態】
【００２６】
故人の写真や肖像画および氏名や命日などの関連事項を設けたルーツカードを複数収納する収納部を設けるとともに、収納したルーツカードの中の一枚を表示可能な表示部を設け、小さなスペースで仏壇を兼用した複数の故人の位牌として用い得るようにした。
【実施例１】
【００２７】
本発明の実施例１を図１〜１０に基づいて説明する。図１は本実施例のルーツの箱を示す正面図、図２は図１のＡ−Ａ線断面図、図３は図１のＢ−Ｂ線断面図、図４はルーツの箱を示す斜視図、図５はルーツの箱の蓋部と引き出し部を引き出した状態を示す斜視図、図６はルーツカード本体を示す正面図、図７はルーツカードの作成状態を示す斜視図、図８はルーツカード本体の他の例を示す正面図、図９は故人表示カードの貼付部の一例を示す図、図１０は連結ルーツカードを示す斜視図である。
【００２８】
図１〜５に示すように、本実施例のルーツの箱１は、箱体２とルーツカード３とからなっている。箱体２は板材２ａを用いて上下に長い長方立方体形状に形成され、箱体２の前面部、後面部および両側面部を形成する板材２ａの端面を４５°の平面に面取りし、その面取り面を突き合わせて稜部とし、箱体２の周面に板材２ａの繋ぎ部分が現れないようになっている。箱体２の前面部には、箱体２の内部に配置したルーツカード３を外部から見えるようにしたルーツカード表示部４が形成されている。ルーツカード表示部４は、箱体２の前面部に形成した窓部５と、この窓部５を塞ぐ平面ガラス板６と、この平面ガラス板６に沿わせて配置したルーツカード３を支える支持板７からなっており、平面ガラス板６と支持板７の間にルーツカード表示部を配置して、箱体２の外部から見られるようにいる。平面ガラス板６は、両側面部の板材２ａにそれぞれ形成した溝部に縁部を嵌め合わせ、前面部の裏面に当接させるようにして固定されている。平面ガラス板６の後方には、１枚のルーツカード３を収容可能な間隔を有して支持板７が配置されており、この支持板７は箱体２の両側面部の板材２ａにそれぞれ固着した支持部材８により後方に倒れないように支えられ、平面ガラス板６と支持板７の間に配置して表示しているルーツカード３を他のルーツカード３に容易に交換し得るように上下移動可能になっている。
【００２９】
上記支持板７の後方には、箱体２の内部を前後の両面部と平行に仕切る仕切り板９が両側面部の板材２ａにそれぞれ形成した溝部に縁部を嵌め合わせて固着されており、ルーツカード表示部４に表示しないルーツカード３を複数枚収納可能なルーツカード収納部１０と、連結ルーツカード１１を複数枚収納可能な連結ルーツカード収納部１２とに区分けされている。なお、箱体２の内部は、仕切り板９を設けることなくルーツカード収納部１０のみとし、このルーツカード収納部１０にルーツカード３と連結ルーツカード１１を一緒に収納しても良い。
【００３０】
箱体２の上部には、蓋部１３が前後の両面部と平行に水平方向へスライド可能に設けられている。蓋部１３は、その両側部に凸条１３ａが形成されており、この凸条１３ａを前後の両面部の板材２ａに形成した溝部１４に挿入して取り付けられている。
【００３１】
箱体２の下部、すなわちルーツカード収納部１０と連結カード収納部１２の下方には、香、焼香、ろうそく、線香、その他の関連用具や用品を収納する引き出し部１５が設けられており、引き出し部１５は箱体２の前方向に引き出せるようになっている。
【００３２】
ルーツカード３は、図６および図７に示すように、ルーツカード本体１６と、故人の写真や肖像画等の故人表示カード１７とからなっており、ルーツカード本体１６は中央部で二つ折りし、その内部に故人表示カード１７を挟持し得るようになっている。ルーツカード本体１６は、二つ折りした状態で接着され箱体２の内部に収納可能な大きさとなっており、二つ折りする中央部を境にして、一面（以下、表側面１６ａという）には故人表示カード１７より若干小さな窓部１８を形成して故人表示カード１７の貼付部が設けられている。故人表示カード１７の貼付部は、表側面の裏面の窓部１８外縁となっており、貼付部に故人表示カード１７の外周を接着剤で貼り付けてルーツカード本体１６に挟持された故人表示カード１７の写真や肖像画が窓部１８から現れるようになっている。この貼付部には、図９に示すように、三角コーナー２１を設け、この三角コーナー２１に故人表示カード１７の隅部を保持させるようにしても良いし、剥離紙で覆った粘着テープ（図示省略）を設けても良い。また、表側面１６ａの表面には、ルーツ表示部１９が設けられており、挟持した故人表示カード１７の故人に関する事項である「ｎａｍｅ（氏名）」、「ｂｏｒｎ（生年月日）」、「ｄｉｅｄ（没年月日）」を表示可能になっている。なお、ルーツ表示部１９は、図８に示すように、ｎａｍｅ，ｂｏｒｎ，ｄｉｅｄを表示せず、単に２本の線を設け、故人表示カード１７の故人に関する思い入れ等がある事項を記載し得るようにしても良い。一方、ルーツカード本体１６の他面（以下、裏側面１６ｂという）には、その表面にルーツ記録部２０が設けられ、このルーツ記録部２０には、ルーツカード本体１６に挟持した故人表示カード１７の故人に関する「氏名」、「生年月日、没年月日（享年）」、「系譜」、「戒名」および「思い出」の記載欄が設けられている。
【００３３】
連結ルーツカード１１は、図１０に示すように、一枚の長方形状の紙材を、その長手方向に対して直角に同じ間隔を持って７回折り畳み、その折り畳み位置を境にして前記ルーツ記録部２０と同じ記録欄を有するルーツ記録部２０が８カ所設けられており、過去帳としての機能を持たせることができる。この連結ルーツカード１１のルーツ記録部２０には、箱体２に収納するルーツカード３のルーツ記録部２０と同じ記載を行い、この連結ルーツカード１１を連結カード収納部１２に収納しておくことで、箱体２に収納してあるルーツカード３が連結ルーツカード１１を箱体２から取り出して一読することで直ちに明瞭となる。なお、連結ルーツカード１１は、前記７つ折りに限定されず、６回以下あるいは８回以上折り畳んで形成しても良い。
【００３４】
図１１は、ルーツカード本体の変形例を示す正面図で、変形例のルーツカード本体１６は、その裏側面１６ｂの表面に設けたルーツ記録部２０の記載欄に、「戒名」の欄を設けず、「氏名」、「生年月日、没年月日（享年）」、「系譜」および「思い出」の記載欄が設けられている。この場合、「氏名」の欄に、俗名または戒名あるいは俗名と戒名を併記してもよい。その他の構成は、図６および図９に示すルーツカード本体１６と同様に構成されており、同一の部分には同一符号を付し、その説明を省略する。
【００３５】
図１２は、ルーツカード本体の他の変形例を示す斜視図で、変形例のルーツカード本体１６は、表側面１６ａと裏側面１６ｂの２枚で構成され、故人表示カード１７を貼付部に取り付けた後、表側面１６ａと裏側面１６ｂを貼り合わせてルーツカード３を形成し得るようになっている。その他の構成は、図６のルーツカード本体１６と同様であり、また図８および図１１と同様な記載欄としても良い。
【００３６】
図１３は、連結ルーツカード１１の変形例を示す斜視図で、「戒名」の欄を設けず、「氏名」、「生年月日、没年月日（享年）」、「系譜」および「思い出」の記載欄が設けられている。その他の構成は、図１０の連結ルーツカード１１と同様に構成されている。
【００３７】
本実施例のルーツの箱によれば、故人全員のルーツカード３を収納し、このルーツカード３に表示された故人の写真等を選択してルーツカード表示部４に表示し、仏壇を兼用した位牌として用いることができる。さらに、命日の法要の際に、その故人のルーツカード３をルーツカード収納部１０から取り出し、極めて簡単に法要する故人の位牌とすることができる。また、収納した複数のルーツカード３の故人に関する事項を連結ルーツカード１１に記載して過去帳として機能させることができる。
【実施例２】
【００３８】
本発明の実施例２を図１４に基づいて説明する。図１４は本実施例のルーツの箱を示す斜視図である。
【００３９】
本実施例のルーツの箱３１は、箱体３２が水平方向に長い長方立方体形状に形成され、箱体３２の上部には開閉可能な蓋部３３が設けられている。蓋部３３は、その後部が箱体３２の後面部側の両側面部上部に回動可能に支持されて上下方向に開閉可能となっており、開放された蓋部３３は箱体３２の後面部に係止されて、その下面３３ａを表に出した状態で所定の角度が保たれるようになっている。
【００４０】
蓋部３３の下面３３ａには、実施例１と同様に構成されたルーツカード３を表示するルーツカード表示部３４が設けられている。このルーツカード表示部３４には、ルーツカード３の上部と下部を支持する上部支持部材３４ａと下部支持部材３４ｂが、ルーツカード３の長さａに対応させた間隔を持たせて蓋部３３の下面３３ａに固着して配設されている。上部支持部材３４ａは、ルーツカード３の厚みを持たせて下面３３ａと略平行に下方へ折り曲げられるとともに、下部支持部材３４ｂは、上部支持部材３４ａと同様に上方へ折り曲げられており、上下の折り曲げ部分にルーツカード３を挿入して保持しルーツカード３をルーツカード表示部３４に表示可能となっている。
【００４１】
箱体３２の下部には、１枚以上のルーツカード３を収納可能なルーツカード収納部３５が形成されており、このルーツカード収納部３５は、箱体３２から引き出し可能な引き出し部からなっている。ルーツカード収納部３５には、実施例１と同様に形成した連結ルーツカード１１を収納することが可能であり、また香等の関連部品や用品の収納も可能である。
【図面の簡単な説明】
【００４２】
【図１】本発明の実施例１を示す正面図である。
【図２】図１のＡ−Ａ線断面図である。
【図３】図１のＢ−Ｂ線断面図である。
【図４】本発明の実施例１を示す斜視図である。
【図５】本発明の実施例１の蓋部および引き出し部を引き出した状態を示す斜視図である。
【図６】本発明の実施例１のルーツカード本体を示す正面図である。
【図７】本発明の実施例１のルーツカードの作成状態を示す斜視図である。
【図８】ルーツカード本体の他の例を示す正面図である。
【図９】故人表示カードの貼り付け部の一例を示す図である。
【図１０】連結ルーツカードを示す斜視図である。
【図１１】ルーツカード本体の変形例を示す正面図である。
【図１２】ルーツカード本体の変形例を示す正面図である。
【図１３】連結ルーツカードの変形例を示す斜視図である。
【図１４】本発明の実施例２を示す斜視図である。
【符号の説明】
【００４３】
１，３１  ルーツの箱
２，３２  箱体
３  ルーツカード
４，３４  ルーツカード表示部
５  窓部
６  平板ガラス板
７  支持板
８  支持部材
９  仕切り板
１０，３５  ルーツカード収納部
１１  連結ルーツカード
１２  連結ルーツカード収納部
１３，３３  蓋部
１５  引き出し部
１６  ルーツカード本体
１７  故人表示カード
１８  窓部
１９  ルーツ表示部
２０  ルーツ記録部
【図１】
2005143742.tif 000003
【図２】
2005143742.tif 000004
【図３】
2005143742.tif 000005
【図４】
2005143742.tif 000006
【図５】
2005143742.tif 000007
【図６】
2005143742.tif 000008
【図７】
2005143742.tif 000009
【図８】
2005143742.tif 000010
【図９】
2005143742.tif 000011
【図１０】
2005143742.tif 000012
【図１１】
2005143742.tif 000013
【図１２】
2005143742.tif 000014
【図１３】
2005143742.tif 000015
【図１４】
2005143742.tif 000016